(57)【要約】【課題】  室内外の気圧差を解消して扉を円滑に開くことができる簡単な構成の開扉補助機構付ラッチ装置を提供する。【解決手段】  錠箱内に反転ラッチ機構と開扉補助杆１３とを設け、上記開扉補助杆１３を、錠箱のフロント板１４に垂直な前後方向に移動可能に案内され、傾斜面１５を形成した前端部を扉枠１６側に設けられた鉛直なローラ１７に係合可能に臨ませ、開扉時、ハンドルやノブにより回動するカム体により圧縮コイルばね１９を介して開扉補助杆１３をローラ１７方向に押動し、傾斜面１５とローラ１７との間に生じる楔作用により、扉Ｄを少し開ける。【選択図】  図６
2012097404.tif 000002
【特許請求の範囲】
【請求項１】
錠箱内に反転ラッチ機構と開扉補助杆とを設け、上記反転ラッチ機構を、少なくとも錠箱のフロント板から突出する部分の水平投影形状が平行四辺形の一部をなし、その対角線の交点を中心とする鉛直な第１回動軸の周りを回動可能に支承されたラッチヘッドと、中央部を錠箱の側板に垂直な第２回動軸の周りを回動自在に支承され、一端にラッチヘッドと係合する支持端を形成し、第２回動軸に関し支持端と反対側の他端に操作端を形成した係止レバーとで構成し、一方、上記開扉補助杆を、錠箱のフロント板に垂直な前後方向に移動可能に案内され、斜面を形成した前端部を扉枠側に設けられた鉛直なローラに係合可能に臨ませたものとし、他方、上記係止レバーの内端部と開扉補助杆の内端部との間に、錠箱の側板に平行な平面内を回動可能に支承されたカム体を設け、このカム体に、開扉補助杆の内端部を押しばねを介して押動可能な第１作動部と、係止レバーの操作端と係合して係止レバーを押動する第２作動部とを併設すると共に、カム体の回動軸を通る異形孔に作動軸を通し、この作動軸にレバーハンドル又はノブを一体的に装着したことを特徴とする開扉補助機構付ラッチ装置。
【発明の詳細な説明】
【技術分野】
【０００１】
この発明は、開扉補助機構付ラッチ装置（以下単にラッチ装置という）に係り、特に、簡単な構造で室内外の気圧差を解消して扉を円滑に開くことができるラッチ装置に関する。
【背景技術】
【０００２】
気密性の高いマンションやビル等においては、室内における空調機や換気扇の運転によって室内外に気圧差が生じ、通常は室内側が陰圧になることから、開扉するとき大きな力が必要となり、或いは扉の開放が困難になる。
【０００３】
上記した内外気圧差による扉開放の困難性を克服するため、後記特許文献１、２に記載された回避補助機構は、扉内にその自由側端縁に垂直な方向に移動可能に案内されたラッチボルト様の開扉補助杆を設け、その先端に形成された斜面を扉枠側に設けたローラに弾圧させることにより、斜面とローラとの間に生じる楔作用を利用して扉を強制的に少し開け、その隙間から空気を室内に流入させることにより室内外の気圧差を解消するようにしている。
【先行技術文献】
【特許文献】
【０００４】
【特許文献１】特許第４０３４２１６号公報
【特許文献２】特開２００５−１２７０４４
【特許文献３】特許第２６４１０９８号公報
【発明の概要】
【発明が解決しようとする課題】
【０００５】
上記した構成の開扉補助機構は、開扉補助杆の操作時扉のデッドボルトやラッチボルトが予め扉枠のストライク孔から抜去されていなければならないので、必然的にラッチボルトやデッドボルトを操作するハンドルやノブの他に、開扉補助杆用の操作部材を独立に設ける必要がある。
【０００６】
すると、ラッチ装置などの構成が複雑になり見栄えが悪くなるばかりでなく、操作が煩雑となり、先に開扉補助杆用の操作部材を操作した場合には開扉補助機構が作動しなくなる、等未だ改良の余地がある。
【０００７】
そこで、この発明は、ハンドルやノブの操作のみで開扉補助機構を作動させることができる開扉補助機構付ラッチ装置を提供し、以て上記した種々の不都合を解消することを目的としている。
【課題を解決するための手段】
【０００８】
上記の目的を達成するため、請求項１に記載の発明は、錠箱内に反転ラッチ機構と開扉補助杆とを設け、上記反転ラッチ機構を、少なくとも錠箱のフロント板から突出する部分の水平投影形状が平行四辺形の一部をなし、その対角線の交点を中心とする鉛直な第１回動軸の周りを回動可能に支承されたラッチヘッドと、中央部を錠箱の側板に垂直な第２回動軸の周りを回動自在に支承され、一端にラッチヘッドと係合する支持端を形成し、第２回動軸に関し支持端と反対側の他端に操作端を形成した係止レバーとで構成し、一方、上記開扉補助杆を、錠箱のフロント板に垂直な前後方向に移動可能に案内され、斜面を形成した前端部を扉枠側に設けられた鉛直なローラに係合可能に臨ませたものとし、他方、上記係止レバーの内端部と開扉補助杆の内端部との間に、錠箱の側板に平行な平面内を回動可能に支承されたカム体を設け、このカム体に、開扉補助杆の内端部を押しばねを介して押動可能な第１作動部と、係止レバーの操作端と係合して係止レバーを押動する第２作動部とを併設すると共に、カム体の回動軸を通る異形孔に作動軸を通し、この作動軸にレバーハンドル又はノブを一体的に装着したことを特徴とする。
【発明の効果】
【０００９】
上記のように構成されたこの発明によるラッチ装置は、開扉時、ノブやハンドルを握ってカム体を回すと、その第２作動部が係止レバーを回動させてラッチヘッドを自由にする一方、第１作動部が押しばねを介して開扉補助杆をフロント板から突出させ、その前端の斜面が扉枠側のローラと係合して扉を少し開ける。
【００１０】
したがって、従来の開扉補助装置のようにまずデッドボルトやラッチボルトをストライク孔から抜去し、次いで開扉補助杆用の操作部材を操作するという２動作をカム体の１動作で済ますことができる、という所期の効果を奏する。
【００１１】
また、開扉補助杆を押しばねを介して押動するようにしたので、反転ラッチの解放のタイミングと、開扉補助杆の作動タイミングがずれても機構に無理な力が掛らない、等種々の効果を奏する。
【図面の簡単な説明】
【００１２】
【図１】本発明によるラッチ装置の一部断面側面図で、待機時を示す。
【図２】図１のＩＩ−ＩＩ線による断面図。
【図３】本発明によるラッチ装置の一部断面側面図で、開扉のためハンドルを少し回した状態を示す。
【図４】図３のＩＶ−ＩＶ線による断面図。
【図５】本発明によるラッチ装置の一部断面側面図で、開扉のためハンドルを一杯に回した状態を示す。
【図６】図５のＶＩ−ＶＩ線による断面図。
【発明を実施するための形態】
【００１３】
錠箱内に反転ラッチ機構と開扉補助杆とこれらを制御するカム体を設け、開扉時、カム体の一動作により開扉補助杆と反転ラッチの両方の作動を制御するようにし、ハンドルやノブの一動作によりこれらをタイミング良く操作できるようにした。
【実施例１】
【００１４】
以下、本発明の一実施例を図面を参照して説明する。
図１において符号１は錠箱を示し、この錠箱１内には全体を符号２で示す反転ラッチ機構と、同じく全体を符号３で示す開扉補助杆が設けられている。
【００１５】
上記反転ラッチ機構２は周知であるから、前記特許文献３を参照して簡単に説明すると、ラッチ機構２は、特許文献の第２図に示すように、少なくとも錠箱のフロント板から突出する部分の水平投影形状が平行四辺形の一部をなすラッチヘッド（１）を有する。
【００１６】
なお、括弧を付した符号、或いは括弧内の符号は、特許文献３の図面の符号を示す（以下同じ）。
【００１７】
そして、同図に示すように、ラッチヘッド（１）は、平行四辺形の対角線の交点を中心とする鉛直な第１回動軸（５：本願明細書に添付した図１では符号４）の周りを回動自在に支承されている。
【００１８】
上記のように構成された所謂反転ラッチ機構のラッチヘッド２ａは、特許文献３の第２図及び第３図に示すように、斜面（１ａ、１ｂ）が扉の回動するにつれストライク孔の開口端縁との係合の態様が変わり、係止面と斜面とが入れ替わる。
【００１９】
本願明細書に添付した図１に戻って、この図面において符号５、５はそれぞれ係止レバーを示し、図１における一対の係止レバー５、５は、夫々その中央部を錠箱の側板に垂直な第２回動軸６の周りを回動自在に支承されている。
【００２０】
また、上記係止レバー５、５は連動機構７によって相互に連携され、係止レバー５、５の中間にある図示しない水平面に関し面対称に回動する。
【００２１】
更にまた、各係止レバー５の前端部（図１で左端部）のラッチヘッド２ａ側の隅部は支持端８が割り当てられている。
【００２２】
加えて、上記係止レバー５、５はねじりコイルばね９の弾力により、上記一通の支持端８、８が相互に近接する方向に付勢されている。
【００２３】
また、各係止レバー５の第２回動軸６に関し支持端８と反対側の端部は操作端１１となっている。
【００２４】
そして、図１に示す待機時、すなわち、閉扉時にはこれらの操作端１１、１１はカム体１２の付番しない平面部に当接しており、この状態では、一対の係止レバー５、５の支持端８、８が相互に近接する方向に付勢され、これらが夫々ラッチヘッド２ａの側面に形成された図示しない溝に係合して、ラッチヘッド２ａの第１回動軸周りの角度位置を保つ。
【００２５】
一方、図２、図４及び図６に示すように、図示の実施例における開扉補助杆３は中空の枠体であり、錠箱の側面及び付番しない案内機構により、フロント板１４に垂直な前後方向（図で左右方向）に移動可能に案内されている。
【００２６】
そして、図２に示すよう、傾斜面１５を形成した前端部を扉枠１６側に設けられた鉛直なローラ１７に係合可能に臨ませている。
【００２７】
他方、図１に示すように、係止レバー１５の内端部と開扉補助杆３の内端部との間に前記カム体１２が設けられている。
【００２８】
図示の実施例におけるカム体１２は、錠箱の側面に対する投影が側面の一部を弦によって切欠いた厚板ブロック下方にアーム状の第１作動部１８を一体に接続した形状である。
【００２９】
この第１作動部１８は、図５に示すようにカム体１２が時計方向に回動したとき、図２及び図６に示すように、圧縮コイルばね１９を介して開扉補助杆３を前方に押し出す。
【００３０】
また、図１に示すカム体の平面部と円周面との接続部が係止レバーの操作端１１を制御する第２作動部となっている。
【００３１】
更にまた、図１に示すように、カム体１２にはその中心軸に沿って異形孔２１（図示の実施例では方形孔）が形成されており、この異形孔２１を通る図示しない操作軸の一端部及び／又は両端には、図示しないレバーハンドル、或いはノブが装着される。なお、図２において符号Ｄは扉を示す。
【００３２】
上記のように構成されたこの発明によるラッチ装置は、図１及び図２に示す閉扉状態からハンドル又はノブを操作してカム体１２を開扉方向（図で時計方向）に回動させると、図３及び図４に示すように、開扉補助杆の傾斜面１５がローラ１７に当接する以前に、カム体１２が少し時計方向に回動する。
【００３３】
そのため、係止レバーの上方の操作端１１がカム体の平面部から離間する一方、下方の操作端１１がカム体１２の平面部と円周部の接続部によって上方に押し上げられ、一対の係止レバーレバー５、５は、連動して、前端部が少し拡開する。
【００３４】
つまり、この時点において係止レバーの支持端８との図示しない係止溝との係合が解け、ラッチヘッド２ａが自由になる。
【００３５】
更にハンドル又はノブを操作してカム体１２を時計方向に一杯に回動させると、図５及び図６に示すように、開扉補助杆１３の傾斜面１５がローラ１７に乗り上がるので、ローラ１７が開扉補助杆１３に及ぼす反力により扉Ｄが少し開き（図４参照）、その隙間から空気が室内に流入して気圧差が解消され、以後軽く扉が開く。
【００３６】
なお、扉が開放方向に付勢された後５との係合を解くことにすると、ラッチヘッド２ａと係止レバーの支持端８との間に抉りが生じるので、ラッチヘッドの解放後に扉を開放方向に付勢する図示の実施例の方が好ましい。
【符号の説明】
【００３７】
１  錠箱
２  ラッチ機構
３  開扉補助杆
４  第１回動軸
５  係止レバー
６  第２回動軸
７  連動機構
８  支持端
９  ねじりコイルばね
１１  操作端
１２  カム体
１４  フロント板
１５  傾斜面
１６  扉枠
１７  ローラ
１８  第１作動部
１９  圧縮コイルばね
２１  異形孔
【図１】
2012097404.tif 000003
【図２】
2012097404.tif 000004
【図３】
2012097404.tif 000005
【図４】
2012097404.tif 000006
【図５】
2012097404.tif 000007
【図６】
2012097404.tif 000008